(57)【特許請求の範囲】
【請求項１】
シートバックの下方に突出するブラケットプレートとシートクッションの後部より立ち上るブラケットプレートとを端部間で相対させて枢軸シャフトで軸承連結し、該枢軸シャフトを支軸としてシートバックをリクライニング機構で後前に傾倒可能に組み付けると共に、前記ブラケットプレートが突出するシートバックの下側部を被包する断面略コの字状のサイドカバーをシートバックに取り付け、前記シートバックを前倒しするに伴って、前記サイドカバーがシートクッションの側部に当接するのを逃げられるよう、弾性変形自在なリップ部をサイドカバーの前面フランジから底面フランジに亘って備える自動車用リクライニングシートにおいて、
前記リップ部が弾性変形するのを許容する相対間隔をサイドカバーの内部で隔て、前記シートバックを被包するシートバックカバーの側面から前記サイドカバーの内部に張り出させて、前記ブラケットプレートを前側から覆うインナーカバーを設けたことを特徴とする自動車用リクライニングシート。
【請求項２】
シートバックカバーの側面に縫付け固定した断面略Ｌ字状の縦長な樹脂プレートをインナーカバーとして備え付けたことを特徴とする請求項１に記載の自動車用リクライニングシート。
【発明の詳細な説明】
【０００１】
【発明の属する技術分野】
本発明は、リクライニング機構用のブラケットプレートが突出するシートバックの下側部をサイドカバーにより被包する自動車用リクライニングシートの改良に関するものである。
【０００２】
【従来の技術】
一般に、自動車用リクライニングシートは、図４で示す（以下、片側のみ図示）ようにシートバック１の下方に突出するブラケットプレート２とシートクッション３の後部より立ち上るブラケットプレート４とを端部間で相対させて枢軸シャフト５で軸承連結し、その枢軸シャフト５を支軸としてシートバックをリクライニング機構（図示せず）で後前に傾倒可能に構成されている。
【０００３】
そのリクライニングシートにおいては、図５でも示すようにブラケットプレート２が突出するシートバック１の下側部を被包するべく、カバー本体６０をシートバック１の下側部に合わせて断面略コの字状に樹脂成形すると共に、弾性変形自在なゴム製のリップ部６１を前面フランジ６２から底面フランジ６３に亘って備えた樹脂製のサイドカバー６を取付け装備するものがある。
【０００４】
そのサイドカバー６は、図６で示すようにシートバック１の両側部に取付け配置されるが、図７で示すようにシートバック１を前倒しするに伴って、底面フランジ６３から前面フランジ６２がシートクッション３の側部に当接するのを逃げられるよう、ゴム製のリップ部６１が弾性変形自在に備え付けられている。
【０００５】
このサイドカバー６は、リップ部６１をシートバック１の側部に突端縁であてがい配置すると共に、カバー本体６０を外部からブラケットプレート２の板面にねじ止め固定することにより取り付けられている。
【０００６】
そのサイドカバー６の取付状態では、リップ部６１が弾性変形自在なものであるため、捲れ上がって内部機構が見え、また、内側に陥入変形することにより、乗員の指が内側に入ってしまうような事態の発生を避けられない。
【０００７】
【発明が解決しようとする課題】
本発明は、簡単な構造の変更により、サイドカバーのリップ部が捲れ上がって内部機構が見え、或いは内側に陥入変形ことによる乗員の指が内側に入るのを防げるよう改良した自動車用リクライニングシートを提供することを目的とする。
【０００８】
【課題を解決するための手段】
本発明の請求項１に係る自動車用リクライニングシートにおいては、シートバックの下方に突出するブラケットプレートとシートクッションの後部より立ち上るブラケットプレートとを端部間で相対させて枢軸シャフトで軸承連結し、該枢軸シャフトを支軸としてシートバックをリクライニング機構で後前に傾倒可能に組み付けると共に、前記ブラケットプレートが突出するシートバックの下側部を被包する断面略コの字状のサイドカバーをシートバックに取り付け、前記シートバックを前倒しするに伴って、前記サイドカバーがシートクッションの側部に当接するのを逃げられるよう、弾性変形自在なリップ部をサイドカバーの前面フランジから底面フランジに亘って備えるもので、
前記リップ部が弾性変形するのを許容する相対間隔をサイドカバーの内部で隔て、前記シートバックを被包するシートバックカバーの側面から前記サイドカバーの内部に張り出させて、前記ブラケットプレートを前側から覆うインナーカバーを設けることにより構成されている。
【０００９】
本発明の請求項２に係る自動車用リクライニングシートにおいては、シートバックカバーの側面に縫付け固定した断面略Ｌ字状の縦長な樹脂プレートをインナーカバーとして備え付けることにより構成されている。
【００１０】
【発明の実施の形態】
以下、図１〜図３を参照して説明すると、図示実施の形態は、詳しくは図示しないが、ワゴン車の複数人掛け用リアシートをリクライニングシートとして構成するのに適用されている。図１〜図３中、図４〜図７で示すものと共通の構成部は同じ符号を用いて示す。符号１はシートバック、２はシートバック１のブラケットプレート、３はシートクッション、４はシートクッションのブラケットプレート、５は枢軸シャフト、６はサイドカバーを示す。
【００１１】
そのワゴン車の複数人掛け用リアシートにおいて、ウオークスルー空間を広く確保するべく、ブラケットプレート２の突出するシートバック１の下側部を内側に窪ませて形成し、サイドカバー６はシートバック１の凹部内に配置されるブラケットプレート２を覆って外方に張り出させないようシートバック１の両下側部に取り付けられている。
【００１２】
そのサイドカバー６は、既存のものと構成上変わりなく、図１で示すようにカバー本体６０がシートバック１の下側部に合わせて断面略コの字状に樹脂成形されていると共に、弾性変形自在なゴム製のリップ部６１が前面フランジ６２から底面フランジ６３に亘って備え付けられている。
【００１３】
そのサイドカバー６は、既存のものと同様に、リップ部６１を前方に向けて内端縁をシートバック１の側部にあてがい配置すると共に、カバー本体６０を外部からブラケットプレート２の板面にねじ止め固定することによりシートバック１の下側部に取り付けられている。
【００１４】
そのリクライニングシートにおいて、図２で示すようにリップ部６１の弾性変形を許容する相対間隔Ｇをサイドカバー６の内部で隔て、リクライニング機構用のブラケットプレート２を前側から覆うインナーカバー７がシートバックカバー８の側面からサイドカバー６の内部に張り出させることにより設けられている。
【００１５】
そのインナーカバー７は、図３で示すように断面略Ｌ字状の縦長なポリエチレン等の樹脂プレートでなり、基部辺７ａをシートバックカバー（図示せず）の側面に縫付け固定すると共に、張出し辺７ｂをシートバックカバーの側面から突出させることによりシートバックの側部に予め取り付けられている。このインナーカバー７の張出し辺７ｂは、上述したブラケットプレート２の前縦辺をシートバック１の下側部空間内で覆える程度の長さ，幅に形成すればよい
【００１６】
このように構成するリクライニングシートでは、インナーカバー７がリップ部６１の弾性変形を許容する相対間隔Ｇを隔ててサイドカバー６の内部に備えられているため、シートバック１を前倒しするに伴って、リップ部６１がシートクッション３の側部に当って弾性変形するのに邪魔とならない。
【００１７】
そのシートバック１が立ち姿勢にあるとき、サイドカバー６のリップ部６１が捲れ上がっても、インナーカバー７の張出し辺７ｂがブラケットプレート２の前縦辺を覆っているため、内部機構が外部から見えない。また、リップ部６１が内側に陥入変形してもインナーカバー７の張出し辺７ｂで受け止められるところから、乗員の指が内側に入るのを防げる。
【００１８】
【発明の効果】
以上の如く、本発明の請求項１に係る自動車用のリクライニングシートに依れば、リップ部の弾性変形を許容する相対間隔を隔て、リクライニング機構用のブラケットプレートを前側から覆うインナーカバーをシートバックカバーの側面からサイドカバーの内部に張り出させて設けるという簡単な構造の変更により、サイドカバーのリップ部が捲れ上がっても、インナーカバーがブラケットプレートの前縦辺を覆っているため、内部機構が外部から見えず、或いはリップ部が内側に陥入変形してもインナーカバーで受け止められることにより乗員の指が内側に入るのを防げ、また、シートバックを前倒しするに伴って、リップ部がシートクッションの側部に当って弾性変形するのに邪魔とならないよう構成できる。
【００１９】
本発明の請求項２に係る自動車用のリクライニングシートに依れば、シートバックカバーの側面に縫付け固定した断面略Ｌ字状の縦長な樹脂プレートをインナーカバーとして備え付けることにより、リクライニング機構用のブラケットプレートを前側から覆うインナーカバーを備えても、シート全体として簡単に組み立てられる。
【図面の簡単な説明】
【図１】本発明に係る自動車用リクライニングシートに備えられるサイドカバーを示す斜視図である。
【図２】図１のサイドカバーを取り付けたリクライニングシートの片側部を示す断面図である。
【図３】図２のリクライニングシートに備えられるインナープレートを示す斜視図である。
【図４】一般例に係る自動車用リクライニングシートを示す側面図である。
【図５】図４の自動車用リクライニングシートでシートバックの片側部を示す斜視図である。
【図６】図４の自動車用リクライニングシートを全体的に示す斜視図である。
【図７】図４のリクライニングシートを前倒し状態で示す側面図である。
【符号の説明】
１          シートバック
２          ブラケットプレート
６          サイドカバー
６１        サイドカバーのリップ部
６２        サイドカバーの前面フランジ
６３        サイドカバーの底面フランジ
７          インナープレート
８          シートバックカバー
Ｇ          リップ部とインナープレートとの相対間隔
【図１】
0004899202.tif 000002
【図２】
0004899202.tif 000003
【図３】
0004899202.tif 000004
【図４】
0004899202.tif 000005
【図５】
0004899202.tif 000006
【図６】
0004899202.tif 000007
【図７】
0004899202.tif 000008